Podtech/llm-jp-corpus-v4-ja_patent huggingface dataset:
(57)【要約】      （修正有）【課題】紫外線の透過、袋内部の温度上昇による色焼けや酸化による変色を招きやすい、い草製品等、天然素材のについて色焼けや酸化による変色を招きにくした収納袋を提供する。【解決手段】表面にアルミやステンレスを蒸着させた生地等、紫外線透過を軽減、また遮熱効果のある生地をアルミやステンレスを蒸着させた面を外側にして袋にすることで紫外線の透過を軽減し、袋内部の温度上昇を緩和することにより、い草製品等、天然素材の色やけや酸化による変色防止が可能となる。【選択図】図１
0003107737.tif 000002
【実用新案登録請求の範囲】
【請求項１】
表面にアルミやステンレスを蒸着させた生地等、紫外線透過を軽減、また遮熱効果のある生地をアルミやステンレスを蒸着させた面を外側にして袋にする。袋の収納口は折り返す、あるいは紐を通し開閉ができるようにする。以上の如く構成された収納袋。
【考案の詳細な説明】
【考案の詳細な説明】
【０００１】［考案の属する技術分野］
本考案は表面にアルミやステンレスを蒸着させた生地等、紫外線透過を軽減、また遮熱効果のある生地をアルミやステンレスを蒸着させた面を外側にして袋にすることで紫外線の透過を軽減し、袋内部の温度上昇を緩和することにより、い草製品等、天然素材の色やけや酸化による変色防止を可能とする収納袋に関する。
【０００２】［従来の技術］
従来のものは、ビニール、または紙製の袋を使用していた。
【０００３】［考案が解決しようとする課題］
これらには以下のような欠点があった。
紫外線の透過、袋内部の温度上昇によりい草製品等、天然素材の色焼けや酸化による変色を招きやすく、保管が困難なため在庫ロスの発生する可能性が高かった。本考案はこれらの欠点を解消するために、なされたものである。
【０００４】［課題を解決するための手段］
表面にアルミやステンレスを蒸着させた生地等、紫外線透過を軽減、また遮熱効果のある生地をアルミやステンレスを蒸着させた面を外側にして袋にすることで紫外線の透過を軽減し、袋内部の温度上昇を緩和することにより、い草製品等、天然素材の色やけや酸化による変色防止が可能となる。
【０００５】［考案の実施の形態］
表面にアルミやステンレスを蒸着させた生地等、紫外線透過を軽減、また遮熱効果のある生地をアルミやステンレスを蒸着させた面を外側にして袋にする。袋の収納口は折り返す、あるいは紐を通し開閉ができるようにする。以上の構造からなる収納袋。
【０００６】［考案の効果］
表面にアルミやステンレスを蒸着させた生地等、紫外線透過を軽減、また遮熱効果のある生地をアルミやステンレスを蒸着させた面を外側にして袋にすることで紫外線の透過を軽減し、袋内部の温度上昇を緩和することにより、い草製品等、天然素材の色やけや酸化による変色防止を可能とすることにより、在庫ロスの軽減が期待出来る。また、大きさを変化させることにより材料の保管にも使用出来る。また、アルミを蒸着させた面にはプリントも可能であり、デザインのバリエーション拡大も期待出来ることから、産業発展とともに環境側面からも貢献できる。
【図面の簡単な説明】［図１］
本考案の紐を通し開閉ができる収納袋にした場合の参考図
［図２］
本考案の使用状態を示す参考図
【符号の説明】
（１）はアルミやステンレスを蒸着させた面
（２）は開閉用の紐
（３）はい草製品
【図１】
0003107737.tif 000003
【図２】
0003107737.tif 000004
【手続補正書】
【提出日】平成16年10月12日(2004.10.12)
【手続補正１】
【補正対象書類名】実用新案登録請求の範囲
【補正対象項目名】全文
【補正方法】変更
【補正の内容】
［書類名］              実用新案登録請求の範囲
［請求項１］
（ア）表面にアルミやステンレスを蒸着させて、紫外線透過を軽減、また遮熱効果のある生地等を、アルミやステンレスを蒸着させた面を外側にして袋にする。
（イ）袋の収納口は折り返す、あるいは紐を通し開閉が出来るようにする。
以上の構成からなることを特徴とする収納袋。
(57)【要約】      （修正有）【課題】断熱効果の高い耐火煉瓦と木でこんろを構成し、野外のみならず屋内でも容易に取り扱いできるバーベキューコンロの提供。【解決手段】こんろ本体外周部を木製の角状外枠体１とし内周面に耐火煉瓦２を設け、断熱効果を最大限に生かした。また空気口４を設け、その空気口４の上方口縁位置に取り外しが可能な網状仕切り板３を設け炭の完全燃焼を容易にする構造とした。断熱効果を大きくし外周部が木製の角状外枠体１であるために、取り扱いが容易なこんろであり、美観も含め野外のみならず屋内でも炭火焼料理を楽しむ事ができる。【選択図】図１
0003107740.tif 000002
【実用新案登録請求の範囲】
【請求項１】
木製の角状外枠体の内周面に耐火煉瓦を配置してなる炭火焼こんろにおいて、木製である事を利点とした断熱効果が大きく、こんろ本体外周部の温度を低く保つことができるゆえに、野外のみならず、屋内でも容易に取り扱いできることを特徴としたバーベキューこんろ。
【請求項２】
木製の角状外枠体の内周面に耐火煉瓦を配置してなる炭火焼こんろにおいて、この木製の角状外枠体と耐火煉瓦でなる基本構造が利点とした、こんろ本体の大きさを用途に合わせて製作する事が容易な、大きさに制限されない事を特徴としたバーベキューこんろ。
【考案の詳細な説明】
【技術分野】
【０００１】  本考案は、本体外周部を木製とし、内周面に耐火煉瓦を配置したバーベキュこんろに関するものである。
【背景技術】
【０００２】  従来、野外などにおいて炭火焼き料理を楽しむことができる多種多様のバーベキューこんろは、熱効率が悪く最外周部までもが高温になり、こんろそのものの美観は初期に損なわれていた。
【考案の開示】
【考案が解決しようとする課題】
【０００３】  外周部が高温になるためにこんろ周辺が暑くなり、こんろから離れるようになる。本来炭火を眺めることも楽しみの一つである体験を奪われている。更に、外周部が非常に高い温度になる事で、殆どの様式のこんろは使用初期に変質し、美観を損なう結果となっている。従って、耐火及び断熱効果の高い耐火煉瓦と低温域では断熱性の優れた木を使用する事で前述の欠点を解決するものである。
【課題を解決するための手段】
【０００４】  本考案は、こんろ本体外周部を木製の角状外枠体とし、その内周面に耐火煉瓦を配置する事で高い熱効率と外周部の低温維持を実現した事で問題を解決している。
【考案の効果】
【０００５】  上述の様に、こんろ外周部が低温維持を実現したことで、こんろに近づく事の安全性を高くし、炭火焼料理を楽しむことは勿論、炭火を眺める楽しみも増大する。そして熱効率が高くなった事と、こんろ本体の寿命が長くなる事で経済的負担は小さくなる。
【考案の実施するための最良の形態】
【０００６】  木製の角状外枠体の内周面及び底面に耐火煉瓦を設け、外部より内部の炭燃焼室に通ずる空気口を設け、その空気口上方口縁位置の高さに取り外しが可能な炭を乗せるための網状仕切り板を設け、炭が完全燃焼し易い構造とした。
【実施例】
【０００７】  以下添付図面に従って実施例を説明する。１は木ねじ及び接着剤等で組み立て形成された木製の角状外枠体で、２は１の内周面の縦、横、底面に設置した耐火煉瓦で、この耐火煉瓦で囲われた内部空洞部が炭の燃焼室となる。この炭の燃焼室への空気の取り入れは、４空気口で可能としており、更に空気口上方口縁位置の高さに水平に取り付けた網状の炭を乗せるための仕切り板３を設置することで空気の取り入れを完全なものとした。５は炭火焼を楽しむ材料を載せて焼くための網状テーブルである。
【図面の簡単な説明】
【０００８】
【図１】本考案の木製バーベキューこんろの実施例を示す斜視図である。
【図２】本バーベキューこんろの一部切欠断面図である。
【図３】網状仕切り板の斜視図である。
【符号の説明】
【０００９】１  角状外枠体２  耐火煉瓦３  網状仕切り板４  空気口５  網状テーブル
【図１】
0003107740.tif 000003
【図２】
0003107740.tif 000004
【図３】
0003107740.tif 000005
【手続補正書】
【提出日】平成16年10月8日(2004.10.8)
【手続補正１】
【補正対象書類名】実用新案登録請求の範囲
【補正対象項目名】全文
【補正方法】変更
【補正の内容】
【実用新案登録請求の範囲】
【請求項１】
木製の角状外枠体の内周面に耐火煉瓦を配置してなるバーベキューこんろ。
(57)【要約】      （修正有）【課題】従来の高価な二重サッシに対して、安価にして簡易設置可能な断熱簡易ガラス戸サッシを提供する。【解決手段】サッシ枠４の上・下部にスペ−サ−５を有するプラスチック板固定体６を接着すると共に、これにカラ−プラスチック板２をガラス板１に平行に設置固定してなる。スペーサー５により、空間３を正確で強固に維持できる。【選択図】図１
0003107734.tif 000002
【実用新案登録請求の範囲】
【請求項１】
サッシ枠（４）の上・下部にスペ−サ−（５）を有するプラスチック板固定体（６）を接着すると共に、これにカラ−プラスチック板（２）をガラス板（１）に平行に設置固定してなることを特徴とする断熱簡易ガラス戸サッシ。
【考案の詳細な説明】
【技術分野】
【０００１】  本考案は、従来のガラス戸サッシの改良に関するものである。
【従来技術】
【０００２】  従来、アルミサッシ枠にガラス板を嵌め込み、レ−ル上を走行開閉するガラス戸サッシが一般的である。
また、上記ガラス戸サッシ二本を隣接して二重構造としたいわゆる二重サッシ戸もある。
【考案が解決しようとする課題】
【０００３】  後者の二重サッシ戸は、断熱や防音、結露防止などの優れた性能があるので広く普及しつつある。
【０００４】  しかしながら、上記製品は当然のことながら高価である上に、工事費も高額となるし総重量も格段に重く、運搬コストも高くなる。
【０００５】  そのため、良いことは充分承知していても、その一般への普及には自ずから限界があるようである。
【課題を解決するための手段】
【０００６】  そこで本考案は、ごく簡単な装置を付加するのみにて、前記二重サッシ戸に匹敵する効果が得られるものである。従来のガラス戸サッシに嵌め込まれたガラス板（１）とほぼ同大のカラ−プラスチック板（２）を、若干の空間を置いて平行に設置固定するものである。
【考案の実施の形態・実施例】
【０００７】  先ず、サッシ枠（４）の上・下部にスペ−サ−（５）を有するプラスチック板固定体（６）を接着する。これに合わせて前記プラスチック板（２）を嵌め、  ガラス板（１）と平行に設置固定する。この時、該スペ−サ−が一定の空間（３）を正確且つ強固に維持する。
【考案の効果】
【０００８】  上述のように従来のガラス戸サッシに、スペ−サ−（５）を有する固定体（６）を接着し、且つカラ−プラスチック板（３）を設置するのみにて空間（３）を創出できる。従って、優れた断熱性や防音、結露防止、紫外線防止、透視防止などの諸効果を発揮でき、しかも極めて低コストで即席に実施できる。
なお、前記のカラ−プラスチック板（２）の着色濃度や、スペ−サ−（５）の間隔を適宜に変更することは自由である。
また、本考案を自動車ガラスなどにも適宜応用実施することも可能であり、その諸効果も同様に発揮される。
【図面の簡単な説明】
【０００９】
【図１】  本考案の実施状態を示す要部断面図である。
【符号の説明】
【００１０】    １  ガラス板
２  カラ−プラスチック板
３  空間
４  サッシ枠
５  スペ−サ−
６  プラスチック板固定体
【図１】
0003107734.tif 000003
(57)【要約】      （修正有）【課題】デザインが限定されてしまう草製品や合成繊維、天然素材のインテリアについて、デザインの可能性を拡大し、繊細な表現が可能なインテリア製品を提供する。【解決手段】い草製品や合成繊維、天然素材に透明感のある素材（ボイルレース・ケースメント等）に刺繍、あるいはプリント、染色、織りによりデザインされたへり（１）を使用し、透明感の無い素材に刺繍、あるいはプリント、染色、織りによりデザインされたへり（２）を組み合わせる、または（１）を単独で使用することによりデザインすることによりインテリア製品を提供して解決される。【選択図】図１
0003107738.tif 000002
【実用新案登録請求の範囲】
【請求項１】
透明感のある素材（ポリエステル等）を織り上げた生地（ボイルレース・ケースメント等）に刺繍、あるいはプリント、染色、織りによりデザインされたへり（１）を溶剤によって溶かす、あるいは熱によって溶かすことにより接着、あるいは縫製することにより縫いつけて使用し、透明感の無い素材に刺繍、あるいはプリント、染色、織りによりデザインされたへり（２）を幅を自在に変化させて組み合わせる、または（１）を単独で使用することによりデザインをする。以上を特徴とするい草製品や合成繊維、天然素材を使用したインテリア。
【考案の詳細な説明】
【考案の詳細な説明】
【０００１】［考案の属する技術分野］
透明感のある素材（ボイルレース・ケースメント等）に刺繍、あるいはプリント、染色、織りによりデザインされたへりを使用することにより、い草製品や合成繊維、天然素材の表面感を活かしながら、繊細なデザイン処理や奥行きのあるデザイン処理が可能となるインテリアに関する。
【０００２】［従来の技術］
従来のインテリアは透明感のない素材をへりとしてデザインする、透明感のない素材のへりの幅を変化させる、い草製品や合成繊維、天然素材の表面にプリントや織りによってデザインをしていた。
【０００３】［考案が解決しようとする課題］
これらには次のような欠点があった。
透明感の無い素材をへりとして使用したインテリアは、本体となるい草製品や合成繊維、天然素材の表面が隠れてしまうため、へりを使用できる幅に狭く、い草製品や合成繊維、天然素材の表面をプリントや織りによりデザインをすると繊細な表現が難しく、デザインが限定されてしまう。本考案はこれらの欠点を解消するために、なされたものである。
【０００４】［課題を解決するための手段］
い草製品や合成繊維、天然素材に透明感のある素材（ボイルレース・ケースメント等）に刺繍、あるいはプリント、染色、織りによりデザインされたへり（１）を使用し、透明感の無い素材に刺繍、あるいはプリント、染色、織りによりデザインされたへり（２）を組み合わせる、または（１）を単独で使用することによりデザインされたインテリアとする。以上により、畳表や合成繊維、天然素材の表面感を活かし、繊細なデザイン表現、奥行きのあるデザイン表現が可能となる。
【０００５】［考案の実施の形態］
い草製品や合成繊維、天然素材に透明感のある素材（ボイルレース・ケースメント等）に刺繍、あるいはプリント、染色、織りによりデザインされたへり（１）を使用し、透け感の無い素材に刺繍、あるいはプリント、染色、織りによりデザインされたへり（２）を組み合わせる、または（１）を単独で使用することによりデザインをする。以上の構成からなるインテリア。
【０００６】［考案の効果］
デザインの可能性が拡大されるとともに、い草製品や合成繊維、天然素材に直接プリントや織りでデザインをするのと異なり、後加工での処理が可能であることから、資材での管理が可能となり、リスクの軽減が期待できるとともに、産業の発展に貢献できる。
【図面の簡単な説明】［図１］
本考案をい草製品にした参考図
［図２］
本考案のインテリアに使用する透明感のある素材に刺繍によりデザインされたへりの参考図
【符号の説明】
（１）は透明感のある素材（ボイルレース・ケースメント等）に刺繍あるいはプリント、染色、織りによりデザインされたへり
（２）は透け感の無い素材に刺繍、あるいはプリント、染色、織りによりデザインされたへり
（３）はい草製品のい草部
【図１】
0003107738.tif 000003
【図２】
0003107738.tif 000004
【手続補正書】
【提出日】平成16年10月12日(2004.10.12)
【手続補正１】
【補正対象書類名】実用新案登録請求の範囲
【補正対象項目名】全文
【補正方法】変更
【補正の内容】
［書類名］    実用新案登録請求の範囲
［請求項１］
へり（１）、またはへり（１）およびへり（２）をい草製品や合成繊維または天然素材の縁に備えたインテリア製品であって、
へり（１）は、透明感のある素材（ポリエステル等）を織り上げた生地（ボイルレース・ケースメント等）に柄を刺繍する、あるいはプリントする、または染色や織りによって柄をデザインしたものであって、い草製品や合成繊維または天然素材に、溶剤によって溶かす、あるいは熱によって溶かすことにより接着する、あるいは縫製することによって縫いつけられるものであり、
へり（２）は、透明感の無い素材に柄を刺繍する、あるいはプリントする、染色や織りによって柄をデザインしたものであり、
へり（１）は単独で、い草製品や合成繊維または天然素材の縁となり、
へり（２）は、へり（１）とのデザインバランスによって幅を変化させてへり（１）と組み合わされた縁となるものであることを特徴とするインテリア製品。
(57)【要約】【課題】パズルは簡単に見えて難しいから面白いのですが、はめ込みパズルの類は、駒数、図柄、鍵状の駒を用い時間の掛かる物や、趣の違う物が多いようです。【解決の手段】本考案は、正立方体を幾方向から斜めに切り落として８分割して出来た駒を、箱枠にはめ込むもので、駒をケースから一度取り出してしまうと、不規則多方面に向かう多面形に解決の糸口を見失ってしまうが、順次試行錯誤しながらはめ込めば、最大８５試行目には８駒が箱枠の隅に整然と並び、短時間に繰り返し遊べる多面体の形状を利用したパズルです。【選択図】    図１
0003107739.tif 000002
【実用新案登録請求の範囲】
【請求項１】
正立方体の各面を４分割し、かつ、全体を８分割する各異形状の多面体で、各々が正立方体の隅となる８個の駒を、箱状の枠にはめ込むパズル。
【考案の詳細な説明】
【産業上の利用分野】
【０００１】本考案は、多面体の駒を組合せてはめ戻すパズルで、知育玩具に関するものです。
【背景の技術】
【０００２】パズルは簡単に見えて難しいから面白いのですが、従来のはめ込み・組合せ・組込パズルは、ジグソーパズルや図柄の組合せ積木、かぎ状の駒を組み込むパズルなど、駒数を増やしたり図柄や形状を複雑にして、見るからに複雑そうな物が多く、プラモデル感覚の物が多いようです。
【考案が解決しようとする課題】
【０００３】簡単な作りで単純に見えるが、意外に難解で知恵の輪のようにちょっとした時間に繰り返し遊べるはめ込みパズルを提供する。
【課題を解決するための手段】
【０００４】本考案は、多面体の面白さを活用したもので、正立方体の角材を幾方向から斜めに切り落とし８分割された駒を、箱枠の中にはめ戻すパズルです。
【０００５】８個の駒はケースから一度取り出してしまうと、各異形状の多面体で、様々な形状面が幾方向にも向かい、はめ戻す際の決め手を見失わせます。
【０００６】しかし、順次ケースの内隅に駒を並べていけば、最大８５試行目には正立方体となり、その６面はいずれも４個の駒で構成さ、８個の駒は整然と正立方体の８隅に在ります。
【０００７】いずれの駒をどの隅・どの向に置くかで、手順も変わり、単純な作りですが、ちょっとした時間に繰り返し遊べます。
【実施例】
【０００８】駒に利用する正立方体の各面を、正面・背面・上面・底面・右面・左面として、上面・左面・正面・底面を各２分するよう分割し、前方左上部の駒１（図面１の１）、前方左下部の駒２（図面１の２）を同時に切り取ります。【０００９】その切り取った三角柱を左面・正面を各２分するよう分割して、駒１、駒２に切り分けます。【００１０】次に、駒１・駒２を切り取った残り部材の上面・右面・前面を各２分するよう分割し、前方右上部の駒３（図面１の３）を切り取ります【００１１】更に、残り部材を右面・背面・左面を上下に各２分するよう切り離し、その上部を、上面・背面各２分するように切り分ければ、後方左上部の駒５（図面１の５）及び後方右上部の駒７（図面１の７）が切り分けられます。【００１２】最後に残された部材を、右面・底面を各２分、背面・底面を各２分すると、前方右下部の駒４（図面１の４）、後方右下部の駒８（図面１の８）と後方左下部の駒６（図面１の６）に切り分けられます。【００１３】この分割方法が唯一ではなく、単純に各面を四割して８駒に分ける事や、又、何分割でも良いのですが、各駒を６面体に仕立てるよりも、不均一な面数を持った多面体とする方がパズルとして面白い事や、鋸の切り目がいずれかの面に偏ると組み上がった正立方体に歪みができる事から、上記の分割方法を製作例に挙げました。
【考案の効果】
【００１４】従来のはめ込みパズルを立体化し、各異形状の多面体を利用したことで、単純な構成でありながら、幾方向にも向いた多角形に解決の糸口が判り辛く、又、完成した際には正立方体の各隅に駒が整然と並び、見た目には簡単そうに見えて、意外と難解なはめこみパズルとして、子供から大人まで多面体の面白みを味わえます。
【図面の簡単な説明】
【００１５】
【図１】構成駒の立体図及び組合せ完成図  １  駒１（前方左上部）  ２  駒２（前方左下部）  ３  駒３（前方右上部）  ４  駒４（前方右下部）  ５  駒５（後方左上部）  ６  駒６（後方左下部）  ７  駒７（後方右上部）  ８  駒８（後方右下部）  ９  組合せ完成図
【図１】
0003107739.tif 000003
【手続補正書】
【提出日】平成16年10月19日(2004.10.19)
【手続補正１】
【補正対象書類名】実用新案登録請求の範囲
【補正対象項目名】全文
【補正方法】変更
【補正の内容】
【実用新案登録請求の範囲】
【請求項１】
正立方体の各面を４分割し、かつ、全体を８分割する各異形状の多面体で、各々が正立方体の隅となる８個の駒と、前記駒をはめ込む箱状の枠とからなることを特徴とする多面体はめ込みパズル。
(57)【要約】      （修正有）【課題】本考案は雑草を取る時、根元から抜き取り、土が硬くても土に楽に挿入、抜き取りに抵抗のかからない、硬い雑草はのこぎりで切断出来ることを課題とした。【解決手段】トング、デレキ形態からなり、両先端部を槍形成にして、ギザギザ２を設けたことと、テコ脚足４を折畳み構成にすることと、鋸目の歯３を設けて解決手段とした。【選択図】図１
0003107735.tif 000002
【実用新案登録請求の範囲】
【請求項１】
トング、デレキ形態からなる園芸地除去具は、先端挟み部を槍形成と滑り止めギザギザと鋸目を設けたことを特徴とする園芸地雑草除去具。
【請求項２】
トング、デレキ形態からなる園芸地除去具の先端挟み部の上部にテコ脚足を左右にボルト、ナットで設け、テコ脚足を折畳みが出来ることを特徴とする園芸地雑草除去具。
【考案の詳細な説明】
【技術分野】
【０００１】本考案は雑草具に関する。
【背景技術】
【０００２】従来に雑草具が有り、構造点では利点もある。
【実願昭６３−６４２１９】
公開
【考案の開示】
【考案が解決しようとする課題】
【０００３】しかしながら雑草を摘み取るには、根元から摘み取ることが前提で、小さい雑草や土が硬いと、スコップでは摘み取ることと、土が硬いと雑草の根元に挿入することと、雑草切断に不利がある。
【課題を解決するための手段】
【０００４】本考案は、雑草器をより便利にするため、トング、デレキ形態からなる園芸地除去具の両先端部槍形成とすることで、雑草、根元、土に挿入を簡単にでき、先端部内部にギザギザと鋸目を設け、滑りを止める、先端挟み部の上部にテコ脚足を折畳み構成にして、使用時、力のかからないようにして、硬い雑草は鋸目で切断もできることで解決手段とした。
【考案を実施するための最良の形態】
【０００５】図１に示すように、物品を挟み付けて取る、トング、デレキ形態からなり、両先端部を槍形成と滑り止めギザギザを設け、その上部両方にテコ脚足を設け、折畳みができる手段のため、ボルト、ナットが設けた形態である、硬い雑草は鋸目で切断もできる形態である。
【考案の効果】
【０００６】本考案に係る園芸地雑草除去具は、雑草を取る時、土が硬いと雑草を引き抜くのが大変である。本考案はトング、デレキ形態の両先端部を槍形成（ピンセット形）にすることで、土の硬い所でも楽に挿入できて、滑り止めギザギザを設けることで、雑草抜き取りに滑りなく、テコ脚足を開き立て、テコ方式にすることで楽に雑草を除去できる効果、硬い雑草は鋸目で切断もできる効果がある。
【図面の簡単な説明】
【図１】    本考案に係る園芸地雑草除去具の工程図である。
【符号の説明】
１    トング、デレキ（形成）
２    滑り止めギザギザ
３    鋸  目
４    テコ脚足
５    ボルト
６    ナット
【図１】
0003107735.tif 000003
(57)【要約】      （修正有）【課題】組み立てと折りたたみを容易にした組立式簡易デスク。【解決手段】差し込み（５）、（６）がポケット（３）、（４）にスライドして出入りすることで組み立てと折りたたみを容易にできるようにした組立式簡易デスク。簡易デスクを構成する部材はすべて接合して個別の部材を無くし、組み立てと折りたたみを容易にするとともに、繰り返し使用によって疲弊する構造の差し込みを無くした。【選択図】図３
0003107736.tif 000002
【実用新案登録請求の範囲】
【請求項１】
左右の側板（１）（２）の内側に三角形のポケット（３）（４）を設け、差し込み（５）（６）がこのポケットにスライドして出入りすることで組み立てと折りたたみを可能にした組立式簡易デスク。
【考案の詳細な説明】
【考案の詳細な説明】
【考案が解決しようとする課題】
【０００１】  従来、面で構成される組立式簡易デスクの場合、複数の部品を差し込み等で組み合わせて組み立てており、組み立て作業に時間がかかるとともに、繰り返し使用によって差し込み部分が疲弊してくるという問題を有していた。
【課題を解決するための手段】
【０００１】上記課題を解決するために、簡易デスクを構成する部材はすべて接合して個別の部材を無くし、組み立てと折りたたみを容易にするとともに、繰り返し使用によって疲弊する構造の差し込みを無くした。
【図面の簡単な説明】
【図１】組立式簡易デスク前面の斜視図である。
【図２】組立式簡易デスク折り畳み時背面の斜視図である。
【図３】組立式簡易デスク組み立て時背面の斜視図である。
【図４】組立式簡易デスク背面の斜視図である。
【符号の説明】
（１）  左側板
（２）  右側板
（３）  左ポケット
（４）  右ポケット
（５）  左差し込み
（６）  右差し込み
（７）  天板
【図１】
0003107736.tif 000003
【図２】
0003107736.tif 000004
【図３】
0003107736.tif 000005
【図４】
0003107736.tif 000006
(57)【要約】【課題】  本考案は、多く一般に使用されている懐中電灯を利用して夜間外出する際の安全性をより高められないかと考えた。【解決手段】  従来の懐中電灯と同じ、電球は一つでのみで電池に負担を掛けずに、光を前後に分配する方法で、前方の照明は確保した上でさらに後方は自動車と同じようなテールランプの役目を果たす機能をもたせて歩行者の前方のみならず後方からの認識性が向上する事が可能になります。【選択図】  図１
0003107772.tif 000002
【実用新案登録請求の範囲】
【請求項１】
懐中電灯の内部構造において、前方照射用の反射板と、後方へ光を送る内部に光沢処理をした円錐の形をした筒状の物をつなげて、その前方を照らす、反射板の付け根部分に、電球を斜めから挿入し、前方及び後方のテールランプを一つの電球で同時に照らす構造の懐中電灯。
【考案の詳細な説明】
【技術分野】
【０００１】  本考案は、懐中電灯の性能改良の関する。
【考案の開示】
【考案が解決しようとする課題】
【０００２】  従来の懐中電灯では、前方のみを照らす事がほとんどであって、それでは道路などを歩いているときは、歩行者と対向する時には、光源が分りやすく、歩行者の確認が容易に行なえるが、後方からは、無灯火状態で歩行者の存在がわかりにくい事がある。
【課題を解決するための手段】
【０００３】  そこで、本考案は発光源の電球は一つでも、光を前後に送れるように、前方照明用の反射板と後方に光を送るための、管を一つにつなげております。【０００４】  照明用の電球（光源）は、従来は反射板の奥に正面を向くように付けていましたが、本考案では、前方を照らす反射板に斜めから挿入し、発光した光の一部は後方へ送られるようにして、その光でテールレンズ（ランプ）を光らせる事が出来ます。
【考案の効果】
【０００５】  前方用の電球と後方用の電球を別々に付けたアイデアはありますが、それでは、電池に負担がかかってしまいます。ですが、本考案の電球は一つですので、電池の負担は増やさずに、光の伝わる内部構造及び光源の取り付け位置を改良することにより、前方の安全確保また後方からの認識性向上が図られ、歩行者等の夜間移動の安全性が向上します。
また、照明利用ですので、反射板のみより効果が大きい。
【考案を実施するための最良の形態】
【０００６】本考案の図を説明致します。【０００７】本体内部の上側に円錐型をした、内部が光沢のある筒７と前方を照らす為の反射板２を一体化したものを取り付けます。【０００８】発光源の電球（光源）４を取り付ける為に、前方を照らす為の反射板２の奥に、斜め側面に光源取り付けの、穴をあけまして、そこに電球を取り付けるソケット３を配置します。【０００９】そこへ、光源の電球４を取り付けますが、取り付けは、前面のレンズ１をねじ込みタイプにして、そこを開けて取り付ける。【００１０】また、前方を照らす反射板２に取り付けた片方の、円錐状の筒７には、内部を光が通りやすくするために、光沢処理をおこなう。【００１１】本体の一番最後部にあたる円錐状の筒７の端には、赤色のレンズ１０を取り付けて筒７の内部を通った光が、レンズに当って赤く光るように致します。
図面での矢印が光の進行を表しています。【００１２】電池からの送電はリード線５・６を使い途中にスイッチ９を経由して電球のソケット３へ送電するようになります。尚スイッチの位置は、図では本体後部に付けていますが、懐中電灯のデザイン次第で、お好みの位置に変更可。【００１３】電池ボックス８は、雨天時の使用考えて、本体下部に取り付けて、雨水の侵入を抑えるようにいたします。【００１４】尚、１０のレンズは、平面よりも、図のようなやや丸みを帯びた凸型の方が、認識性が良くなります。
【図面の簡単な説明】
【００１５】
【図１】    本考案の実施形態を表す断面図。
【図１】
0003107772.tif 000003
(57)【要約】【課題】シールおよびアクリル板に印刷された表示に比べて、警察官立寄所や防犯に関係する施設、郵便局、銀行、駐車場、病院等に防犯警戒をするための照明表示装置として、長寿命でメンテナンスの手間を省くことができる。夜間や曇りでも良く注意を引くことができ防犯効果が大きく、目に付く窓口や出入り口に設置する防犯照明装置を提供する。【解決手段】上部アルミ枠からなるスケルトンボード本体図１と、複数個のＬＥＤを配置した基板図２を組み合わせたＬＥＤでアクリル樹脂系の面状部図１−２を面状照射発光させる形状構造。郊外型で電源部が無い場所の場合でも太陽光パネル図４−７による組み合わせにより電源供給ができる構造にした。【選択図】図１
0003107792.tif 000002
【実用新案登録請求の範囲】
【請求項１】
複数個のＬＥＤを長方形ユニット基板に取付けて電源コンセントより供給された電源の照度を制御する装置とアルミ枠で組み合わせた照明装置。
【請求項２】
複数個のＬＥＤを長方形ユニット基板に取付けて太陽光発電パネルユニットより供給された電源による照明を制御する装置とアルミ枠で組み合わせた照明装置。
【考案の詳細な説明】
【技術分野】
【０００１】本実用新案は、警察官立寄所や防犯に関係する施設、郵便局、銀行、駐車場等に防犯警戒をするための照明表示装置に関する。
【背景技術】
【０００２】銀行や郵便局の入口にはシールや樹脂性の警察官立寄所などの表示シールが設けられていることは公知である。しかし、防犯表示シールでは目立たない。このような照度を補うために照明装置にすることで離れたところからでも目に付きやすくする照明装置である。
【考案の開示】
【課題を解決するための手段】
【０００３】シールや樹脂に警察官立寄所の文字を印刷するだけも防犯効果はあることは公知である。しかし夕方や雨の日などで暗くなった時には見え難いのである。そこで照明装置にすることで防犯強化をはかることができる。しかし光源として電球や蛍光灯管を用いるのでは照明装置が太くなり場所を取ることになる。電球や蛍光灯を光源とする場合には点灯時の発熱は避けられず、消費電力も不利である。【０００４】本新案の目的は、電球や蛍光灯管を光源とする場合に比べて消費電力が少ないうえ、電球や蛍光灯管に比べて長寿命化でメンテナンスの手間を省くことができる。
本新案の目的は使用者の緊急度合いや警戒状況、周囲の状況に応じて複数段階に点滅調節することができる。
【考案の効果】
【０００５】本方法により防犯設備照明機器として警察官立寄所の文字を印刷するだけも防犯効果はある。且つ夕方や雨の日などで暗くなった時にも照明装置が文字を目立つように設計されており、社団法人大阪府防犯協会連合会の厳重なる審査の基登録番号第５１５号に合格して現場での防犯効果を有する。
【考案を実施するための最良の形態】
【０００６】（実施例１）図１本体は本実用新案に係る防犯管理、危機管理、リスクマネジメントを告知、表示するための照明装置の実施例を示す。図１は、主に出入り口などに掛けて設置、または詰め所に備え付ける照明装置である。
（実施例２）ＬＥＤユニット基板図２を点灯あるいは点滅制御する制御回路スイッチ３に照明信号を与える電源を有する照明装置。
（実施例３）制御回路スイッチ３が点灯するＬＥＤ５の照度を複数段階に色変化、変更調整できる照明装置。
（実施例４）ＬＥＤユニット基板図２は上下左右の各表面に対してスケルトンボード本体図１に面状発光する照明装置。
（実施例５）スケルトンボード本体図１の面状板２はアクリル系樹脂板、ポリカ樹脂板、ガラス板などからなり１枚で表面に印刷表示でき面状発光する照明装置。
（実施例６）スケルトンボード本体図１の面状板２はアクリル系樹脂板、ポリカ樹脂板、ガラス板などからなり２枚合わせた中央部に印刷表示でき面状発光する照明装置。
（実施例７）面状板２のアクリル系樹脂板、ポリカ樹脂板、ガラス板などからなる表面また面状板２にはさまれた面状板２に文字、絵、写真を印刷やシールを貼り付ける、蛍光マーカーによる手書きができる照明装置。
（実施例８）スケルトンボード本体の光源に太陽光発電ユニットによる電源供給ができる照明装置。
【産業上の利用可能性】
【０００７】本発明のにおいて、本体スケルトンボードフレーム部１の設計材料をアルミなどにすることで清潔感と軽量化、熱伝導性に優れた材料である。面状発光部２はアクリル樹脂のボードを使用し発光効率を考慮した。この両方を兼ね備えた防犯向け照明装置は、室内は基より暗い場所、そして夜間にも良く目立つ照明装置にして、犯罪を未然に防止する効果を最大限発揮する。電球や蛍光灯では、熱伝導性が悪く消費電力も嵩張り電球交換などメンテナンスにも手間取るところＬＥＤ照明装置と組み合わせることで小型化も解決した。
【図面の簡単な説明】
【０００８】
【図１】スケルトンボード本体図
【図２】ＬＥＤユニット基板
【図３】スケルトンボード断面図
【図４】太陽光発電装置取り付け時
【符号の説明】
【０００９】    １  スケルトンボードフレーム部（アルミなど）
２  透明ボード（アクリル樹脂など）
３  制御回路スイッチ部
４  電源コンセント
５  ＬＥＤ
６  基板
７  太陽光パネル
【図１】
0003107792.tif 000003
【図２】
0003107792.tif 000004
【図３】
0003107792.tif 000005
【図４】
0003107792.tif 000006
(57)【要約】    【課題】  容易に剥がすことができる改良型粘着テープを提供することである。    【解決手段】  所定幅をもつ細長いテープ本体（１２）を備え、テープ本体が、その長さ方向に沿って延びた中央領域（１２ａ）、及び中央領域の両側に位置する縁部領域（１２ｂ、１２ｃ）を有し、中央領域と縁部領域との境界にミシン目（１４）が設けられており、縁部領域の各々の一方の面に感圧接着剤（１６）が塗布されていることを特徴とする改良型粘着テープ（１０）が提供される。【選択図】  図１
0003107799.tif 000002
【実用新案登録請求の範囲】
【請求項１】
所定幅をもつ細長いテープ本体を備え、
前記テープ本体が、その長さ方向に沿って延びた中央領域、及び前記中央領域の両側に位置する縁部領域を有し、
前記中央領域と前記縁部領域との境界にミシン目が設けられており、
前記縁部領域の各々の一方の面に感圧接着剤が塗布されている、
ことを特徴とする改良型粘着テープ。
【考案の詳細な説明】
【技術分野】
【０００１】
本考案は、容易に剥がすことができる改良型粘着テープに関する。
【背景技術】
【０００２】
段ボール等の容器を閉じるための道具として、一般的に粘着テープが用いられている。このような粘着テープは、所定幅を有する細長いテープ本体の裏面に感圧接着剤を塗布し、感圧接着剤の塗布面に剥離紙が剥離可能に貼られている型式のものが大半であり、使用に際して、剥離紙を取って、所望箇所にテープ本体を貼ることにより、段ボール等の容器を閉じることができるようになっている。
【考案の開示】
【考案が解決しようとする課題】
【０００３】
しかしながら、従来の粘着テープでは、粘着テープを段ボール等から剥がそうとすると、容易に剥がれにくく、無理に剥がすと、段ボールの表面部分も一緒に剥がれてしまい、見栄えの悪い状態になるという不都合があった。したがって、本考案は、容易に剥がすことができる改良型粘着テープを提供することを目的としている。
【課題を解決するための手段】
【０００４】
本願請求項１に記載の改良型粘着テープは、所定幅をもつ細長いテープ本体を備え、前記テープ本体が、その長さ方向に沿って延びた中央領域、及び前記中央領域の両側に位置する縁部領域を有し、前記中央領域と前記縁部領域との境界にミシン目が設けられており、前記縁部領域の各々の一方の面に感圧接着剤が塗布されていることを特徴とするものである。
【考案の効果】
【０００５】
本考案によれば、感圧接着剤が塗布されていない中央領域を設けることにより、テープを容易に剥がすことができるという効果が得られる。また、段ボール等の表面部分が剥がれることがないので、見栄えが悪くなることがないという効果も得られる。
【考案を実施するための最良の形態】
【０００６】
次に添付図面を参照して、本考案の好ましい実施の形態に係る改良型粘着テープについて詳細に説明する。図１は、本考案の好ましい実施の形態に係る改良型粘着テープを示した斜視図、図２は、図１の改良型粘着テープの正面図である。図１及び図２において全体として参照符号１０で示される本考案の好ましい実施の形態に係る改良型粘着テープは、所定幅をもつ細長いテープ本体１２を備えている。テープ本体１２は、紙、布、軟質フィルム等の材料で形成される。
【０００７】
テープ本体１２は、その長さ方向に沿って延びた３つの領域、即ち、中央領域１２ａ、及び縁部領域１２ｂ、１２ｃを有しており、中央領域１２ａと一方の縁部領域１２ｂとの境界、及び、中央領域１２ａと他方の縁部領域１２ｃとの境界には、ミシン目１４が設けられている。
【０００８】
テープ本体１２の縁部領域１２ｂ、１２ｃの一方の面には、感圧接着剤１６が塗布されている。これに対し、テープ本体１２の中央領域１２ａの面には、感圧接着剤は塗布されていない。縁部領域１２ｂ、１２ｃの面に塗布される感圧接着剤１６は、公知のものでよい。
【０００９】
テープ本体１２の感圧接着剤１６が塗布されている面には、剥離紙１８が剥離可能に貼られている。剥離紙１８は、公知のものを使用してよい。
【００１０】
以上のように構成された改良型粘着テープ１０の使用について説明する。図３（ａ）は、段ボールの蓋に改良型粘着テープ１０が貼られている状態を示した図である。改良型粘着テープ１０を段ボールの蓋に貼る際には、テープ本体１２の中央領域１２ａが蓋の縁部に位置するように注意する。段ボールの蓋を開けようとする場合には、テープ本体１２の中央領域１２ａを剥がす（図３（ｂ）参照）。この際、テープ本体１２の縁部領域１２ｂ、１２ｃの裏面には感圧接着剤１６が塗布されており、段ボールに接着した状態になっているが、中央領域１２ａの裏面には感圧接着剤が塗布されていないため、中央領域１２ａを引っ張ると、ミシン目１４が切れて中央領域１２ａのみが取り除かれ（図３（ｃ）参照）、蓋を開けることができるようになる。
【００１１】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１２】
例えば、前記実施の形態では、ミシン目１４は、直線状に並んだ微小孔の集合体によって形成されているが、図４に示されるように、平面視で「ハ」の字形の微小スリットの集合体によって形成されるミシン目１４′を用いてもよい。
【図面の簡単な説明】
【００１３】
【図１】本考案の好ましい実施の形態に係る改良型粘着テープの斜視図である。
【図２】図１の改良型粘着テープの正面図である。
【図３】図１の改良型粘着テープの使用手順を示した一連の図である。
【図４】改良型粘着テープの変形形態を示した斜視図である。
【符号の説明】
【００１４】
１０  テープ
１２  テープ本体
１２ａ  中央領域
１２ｂ、１２ｃ  縁部領域
１４、１４′  ミシン目
１６  感圧接着剤
１８  剥離紙
【図１】
0003107799.tif 000003
【図２】
0003107799.tif 000004
【図３】
0003107799.tif 000005
【図４】
0003107799.tif 000006
(57)【要約】      （修正有）【課題】良好な汗の吸収性及び通気性を具え、且つ頭部にフィットする伸縮効果も具える帽子のゴム当て構造を提供する。【解決手段】帽子体２０の内側下周辺縁に頭部にフィットさせるために設ける伸縮性のゴム当て２１構造において、帽子体の内側下周辺縁に本布２１０と弾性伸縮ゴム体２１１を適宜の間隔で交互に設けることによって、弾性伸縮ゴム体の十分な伸縮性を確保すると共に本布により良好な吸収率及び通気性を具える。【選択図】図４
0003107796.tif 000002
【実用新案登録請求の範囲】
【請求項１】
帽子の内側下周辺縁に設置するゴム当てにおいて、本布上に適宜の間隔で弾性伸縮ゴム体を設け、交互に設けられた複数箇所のゴム当てによって伸縮性を保持すると共にゴム当ての設けられていない本布によって通気性、汗の吸収性を持たせたことを特徴とする帽子のゴム当て構造。
【考案の詳細な説明】
【技術分野】
【０００１】
本考案は、帽子内側周辺縁に設けられて被った帽子を密着させるためのゴム当て構造に関するもので、良好な汗の吸収性及び通気性を具え、且つ伸縮効果も具える。
【背景技術】
【０００２】
公知の帽子は、種類も多いが、構造上どの帽子体の内側周辺縁にもゴム当てが設置される。図１に示すとおり、通常見られる帽子は、帽子体１０内側周辺縁に設置されるゴム当て１１は、一本の同質材で帽子体１０内側周辺縁に縫いつけられる。この種の帽子は、かぶった時ゴム当てが伸びるため、伸縮効果を具えるが、通気性及び汗の吸収率は劣る。
図２に示すものは、別の公知例で、その帽子体１０内側周辺縁にゴム当て１２が縫い付けられ、上方の本布上には孔１３を開けて伸縮効果と共に通気性を得る。
また、図３に示すのは、更に別の公知で、一部にゴム当て１４を設置するが、この種の方法は、伸縮効果が良好ではない。
【特許文献１】特開２００４−１２４２８５号公報
【考案の開示】
【考案が解決しようとする課題】
【０００３】
解決しようとする問題点は、帽子を被ったときに頭部にフィットさせるための帽子体の内側周辺縁のゴム当ての伸縮性と共に、通気性及び汗の吸収性を向上することにある。
【課題を解決するための手段】
【０００４】
本考案は、帽子体の内側下周辺縁に本布と弾性伸縮ゴムを適する間隔で設置することによって、良好な汗の吸収性及び通気性を具え、且つ伸縮効果も具えることを最も主要な特徴とする。
【考案の効果】
【０００５】
本考案の帽子のゴム当て構造は、良好な汗の吸収性及び通気性を具え、且つ伸縮効果も具えるという利点がある。
【考案を実施するための最良の形態】
【０００６】
（実施例１）
図４、５，６に示すとおり、本考案は、帽子体２０の内側下周辺縁のゴム当て２１が本布２１０上で適する間隔で設置される。何本ものゴム当て２１１が適する間隔で配列したゴム当て２１構造となり、これにより、良好な汗の吸収性及び通気性を具え、且つ伸縮効果も具える。
【０００７】
本考案のゴム当て構造の幅は、必要に応じて変更・調整し、本布２１０は木綿素材、ナイロン、弾性繊維等と適宜のものでよい。
【図面の簡単な説明】
【０００８】
【図１】公知の立体図である。
【図２】公知の立体図である。
【図３】公知の立体図である。
【図４】本考案の立体図である。
【図５】本考案のゴム当てが伸縮していない状態平面図である。
【図６】本考案のゴム当てが伸縮した状態平面図である。
【符号の説明】
【０００９】
１０        帽子体
１１        ゴム当て
１２        伸縮帯
１３        孔
１４        伸縮帯
２０        帽子体
２１        ゴム当て
２１０        本布
２１１        伸縮帯
【図１】
0003107796.tif 000003
【図２】
0003107796.tif 000004
【図３】
0003107796.tif 000005
【図４】
0003107796.tif 000006
【図５】
0003107796.tif 000007
【図６】
0003107796.tif 000008
(57)【要約】【課題】  本考案は、車にセットされたドリンクホルダーに簡単に取付ができ、水の補給も簡単にできる車用加湿装置を提供する。【解決手段】  車用加湿装置１０を飲料缶と同形状の円筒形状で同サイズとする。また、上部の蓋側１２にファン１８を設け水蒸気の排出口１４や空気の取入れ口１４Ａを設ける設計にして、水を入れる容器側２０を注ぎ口の広いコップ形状にする。【選択図】  図１
0003107791.tif 000002
【実用新案登録請求の範囲】
【請求項１】
車のドリンクホルダーにセットできる飲料缶と同形状で同サイズの筒状をしたコップ形状の容器側２０と蓋側１２で構成され、容器側２０の底部取付けられた水蒸気発生装置２１により発生した水蒸気を蓋側１２の上面に配置された水蒸気排出口１４とその真下に取付けられたファン１８で蓋側１２の側面に配置された空気取入れ口１４Ａから取入れた空気とともに排出させる構造を特長とした車用加湿装置。
【考案の詳細な説明】
【考案の詳細な説明】
【技術分野】
【０００１】  本考案は、車載用加湿装置に関する。
【背景技術】
【０００２】  コンソールボックスやダッシュボートに両面テープやマジックテープ等で固定する加湿装置は知られている。
【考案が解決しようとする課題】
【０００３】  しかしながら、コンソールボックスやダッシュボートに取付ける場合は、サイズや取付け面の材質や形状により水の補給が困難な場所への取付しかない場合や、取付出来ない場合がある。
【課題を解決するための手段】
【０００４】  本考案は、飲料缶と同形状の筒状で同サイズにすることで、ほとんどの車両にセットされているドリンクホルダーへの取付けが簡単にでき、空気の取入れ口と水蒸気の排出用ファンと排出口が上部の蓋に組み込まれていることで、蓋を開ければ水の補給も簡単にできる広い注ぎ口のコップ形状を実現し、よって上記の課題を解決するものである。
【実施例】
【０００５】図１に示すように、本考案の加湿器１０は、筒状の容器側２０と蓋側１２で構成され、容器側２０に水蒸気発生装置２１が取付けボス２０Ａを介してビスで取付けられている。また、蓋側１２上面にはスイッチ１３と水蒸気排出口１４及び側面に空気取入れ口１４Ａそして電力を供給する為の電源プラグ差込口１５が配置されている。【０００６】  図２に示すように、蓋側１２には空気取入れ口１４Ａが水蒸気排出口１４から排出される水蒸気を取入れ難い位置の側面に設けてある。【０００７】  図３に示すように、蓋側１２の内部にはファン１８とその取付ベース１７があり、ファン１８は配線コード１６Ｂで配線コード１６Ａと繋がり、配線コード１６Ａは水蒸気発生装置２１と蓋側１２のスイッチ１３及び電源プラグ差込口１５と繋がっている。【０００８】  図４に示すように、ファン１８の取付ベース１７には空気取入れ口１７Ａが蓋側１２の空気取入れ口１４Ａと重なる位置に設けてあり、入ってきた空気をファン１８の方に流れないように遮断して容器側２０へ取入れできるようになっている。【０００９】  ファン１８の取付ベース１７は蓋側１２に簡単に外れることがないようにビス等で固定されている。【００１０】  蓋側１２に設けられた空気取入れ口１４Ａから侵入した空気はファン１８の取付ベース１７に設けられた空気取入れ口１７Ａを通り容器側２０の内部に入り、水蒸気発生装置２１で発生した水蒸気とともにファン１８で吸上げられて上部の水蒸気排出口１４から外に排出される。
【考案の効果】
【０００１１】  以上のように、本考案によれば、車用加湿装置は飲料缶と同じ円筒形状で同じサイズである為、ほとんどの車に設置されているドリンクホルダーに飲料缶を置くのと同じ感覚でセットできる。また、上部の蓋側の上面より水蒸気が排出されるように排出口真下の蓋側に取付けられたファンにより内部に発生した水蒸気を負圧の力で吸出すように排出口から外に放出する構造の為、上部のファンと一体化した蓋側を外せば下側の水蒸気発生装置だけが付いた容器側はコップ状態になり簡単に水を補給することができる。
【図面の簡単な説明】
【図１】本考案に係わる車用加湿装置の外観図である。
【図２】本考案に係わる車用加湿装置の蓋側の別角度視図である。
【図３】本考案に係わる車用加湿装置の蓋側を分解した時の全体図である。
【図４】本考案に係わる車用加湿装置の蓋側を分解した時の別角度視図である。
【符号の説明】
１０・・・車用加湿装置
１２・・・蓋側
１３・・・スイッチ
１４・・・水蒸気排出口
１５・・・電源プラグ差込口
１８・・・ファン（モーター）
２０・・・容器側（水蒸気用水）
２１・・・水蒸気発生装置
【図１】
0003107791.tif 000003
【図２】
0003107791.tif 000004
【図３】
0003107791.tif 000005
【図４】
0003107791.tif 000006
(57)【要約】【課題】従来のそろばんでは、軸に珠を通す構造であるために多様なデザインを施すことが困難であった。これでは子供たちのそろばんに対する興味はなかなか沸いてこない。また、一人で練習・勉強するのも難しく、コンピュータを内蔵しても、使用者が動かした珠の動きを把握することが難しかった。【解決手段】珠をボタン化する。ボタン式とすることで、色々なデザインを施すことが可能である。本考案のボタン化することにより、内蔵コンピュータが押されたボタンを把握することができるようになる。このことにより、コンピュータが出題し、使用者がそれを解いていくという形で、一人でそろばんの練習・勉強が可能となる。また子供たちにゲームを扱うような感覚でそろばん教育を行うことができる。【選択図】  図１
0003107730.tif 000002
【実用新案登録請求の範囲】
【請求項１】
従来の珠式そろばんを、ボタン式にした。
珠をボタンとすることで、外観のデザイン的な自由が得られ、今までそろばんを敬遠してきた子供や、その他の世代の人たちにも好んで受け入れられることができる。
さらに珠をボタンとすることで、ボタンが押されたかどうかをコンピュータ管理することが容易にできるようになり、内蔵コンピュータにより出題したり解答を与えたりすることができ、一人でそろばんの練習、勉強ができる。
【考案の詳細な説明】
【技術分野】
【０００１】    本考案は従来のそろばんにゲーム性を持たせ、より身近に、より楽しく使えるようにした。
【背景技術】
【０００２】  従来のそろばんは、軸に珠を通し、その珠を指で上下に動かすことで計算する形である。
【考案の開示】
【考案が解決しようとする課題】
【０００３】従来のそろばんでは、軸に珠を通す構造であるために多様なデザインを施すことが困難であった。これでは子供たちのそろばんに対する興味はなかなか沸いてこない。また、一人で練習・勉強するのも難しく、コンピュータを内蔵しても、使用者が動かした珠の動きを把握することが難しかった。
【課題を解決するための手段】
【０００４】  珠をボタン化する。
【考案の効果】
【０００５】  ボタン式とすることで、自由なデザインが可能となる。ボタンはゲーム機や携帯電話で汎用されているため身近な入力方法であり、特に子供たちにとって扱いやすいため、そろばんにゲーム感覚を与えることができる。また、ボタンの押す、離すが内蔵コンピュータで把握できるため、内蔵コンピュータにより、出題や解答の成否判断が可能となる。そのことで、一人でそろばんや、そろばんを使った計算の勉強ができるようになる。
【課題を実施するための最良の形態】
【０００６】  従来のそろばんと珠の位置関係は同じで、珠をボタン式とする。
【実施例】
【０００７】  以下、添付図面に従って、実施例を説明する。１は内蔵コンピュータのディスプレイ画面である。内蔵されたコンピュータにより計算問題が出題される。正解、不正解などの文言も表示される。【０００８】  ２は従来そろばんの珠にあたるボタンである。押すことにより、発光し押された状態であることが示される。再度押すと、発光が消え、押されていない状態であることが示される。使用者はそれによって、数を数えることができる。【０００９】  ３を押すと、従来そろばんが１〜３までの珠を同時に押し上げるのと同じ感覚で、上部３つのボタン（斜線の入った部分）が発光する。ボタンの発光を消す場合も、従来そろばんのように、同時に必要なボタンの発光を消すことができる。
【図面の簡単な説明】
【００１０】
【図１】正面図である。
【図２】右側面図である。
【図３】ボタン、ディスプレイの説明を加えた正面図である。
【図４】ボタンが押されたときのイメージを説明する正面図である。
【図５】平面図である。
【図６】底面図である。
【符号の説明】
【００１１】  １．ディスプレイ
２．ボタン
３．ボタン（使用時押された時を示す）
【図１】
0003107730.tif 000003
【図２】
0003107730.tif 000004
【図３】
0003107730.tif 000005
【図４】
0003107730.tif 000006
【図５】
0003107730.tif 000007
【図６】
0003107730.tif 000008
【手続補正書】
【提出日】平成16年6月11日(2004.6.11)
【手続補正１】
【補正対象書類名】実用新案登録請求の範囲
【補正対象項目名】請求項１
【補正方法】変更
【補正の内容】
【請求項１】
従来の指で弾くそろばんの珠を、ボタン式にしたボタン式そろばん
【手続補正書】
【提出日】平成16年10月14日(2004.10.14)
【手続補正１】
【補正対象書類名】実用新案登録請求の範囲
【補正対象項目名】全文
【補正方法】変更
【補正の内容】
【実用新案登録請求の範囲】
【請求項１】
５の単位を表すボタンを１つと、１の単位を表すボタンを４つ、縦に配置したものを１セットとし、それを６セット横に配置し、それぞれを指で押すことで、数値がディスプレイに表示され、そろばんの計算ができる、ボタン式そろばん。